(57)【要約】      （修正有）【課題】電気コードを電源コンセントに接続でき、しかしながら、しかるべき状況においては電気コードが容易に外れることが可能な電気器具を提供する。【解決手段】電気器具の１つの電気アダプタ（１００）は、開放可能に係合できる第１本体部材（１０２）および第２本体部（１０４）を含み、第１本体部（１０２）は、電気コードのプラグと開放可能に係合でき、第２本体部（１０４）は、主電源と電気的に接続可能であり、第２本体部（１０４）は、第１本体部（１０２）に係合可能な本体と、主電源に電気的に接続できるのに適した導電性ピン（１２４ａ，１２４ｂ，１２４ｃ）を有する板（１２２）とを含み、本体および導電性ピン（１２４ａ，１２４ｂ，１２４ｃ）を有する板（１２２）は互いに対して旋回可能であるものとして開示される。電気器具は、壁ソケットであってもよい。【選択図】図１Ｂ
2005235729.tif 000002
【特許請求の範囲】
【請求項１】
開放可能に係合できる第１および第２本体部材を含み、前記第１本体部材は、電気コードのプラグ部材と開放可能に係合できるのに適した受け部を含み、前記第２本体部材は、主電源と電気的に接続可能であり、前記第２本体部材は、前記第１本体部材に係合可能な第１部分と、前記主電源に電気的に接続できるのに適した第２部分とを含み、前記第１部分および前記第２部分は互いに対して旋回可能であることを特徴とする電気器具。
【請求項２】
前記第１部分は、前記第２本体部材の対応する複数の開口に開放可能に受け入れられる複数の導電性ピンを含むことを特徴とする請求項１に記載の電気器具。
【請求項３】
前記第２本体部材は、前記開口への進入を拒む第１位置と、前記開口への進入を許す第２位置との間を移動可能なシャッタ部材を含むことを特徴とする請求項２に記載の電気器具。
【請求項４】
前記シャッタ部材は、前記第１位置に偏向していることを特徴とする請求項３に記載の電気器具。
【請求項５】
前記第２本体部材は、前記第１部分と前記第２部分との間の相対旋回動作範囲を限定する少なくとも１つのストッパを含むことを特徴とする請求項１に記載の電気器具。
【請求項６】
前記第２本体部材の前記第１部分と第２部分とは、１８０°まで、互いに対して旋回可能であることを特徴とする請求項１に記載の電気器具。
【請求項７】
前記第２本体部材の前記第１部分と第２部分とは、３４０°まで、互いに対して旋回可能であることを特徴とする請求項１に記載の電気器具。
【請求項８】
前記第１部分は、前記第２部分に対して、前記第２部分の長手方向の軸に略垂直な軸周りに旋回可能であることを特徴とする請求項１に記載の電気金具。
【請求項９】
前記第２部分は、壁ソケットの開口の中に受け入れられるのに適した複数の導電性ピン部材を含むことを特徴とする請求項１に記載の電気器具。
【請求項１０】
前記ピン部材は、前記第２部分に不動に固定されることを特徴とする請求項９に記載の電気器具。
【請求項１１】
壁ソケットに開放可能に係合できるのに適した電気アダプタをからなることを特徴とする請求項１に記載の電気器具。
【請求項１２】
壁部に不動に固定されるのに適した壁ソケット部からなることを特徴とする請求項１に記載の電気器具。
【請求項１３】
前記第２本体部材の前記第２部分は、壁に不動に固定されるのに適していることを特徴とする請求項１２に記載の電気器具。
【請求項１４】
開放可能に係合できる第１および第２本体部材を含み、前記第１本体部材は、電気コードのプラグ部材と開放可能に係合できるのに適した受け部を含み、前記第２本体部材は、主電源と電気的に接続可能であり、前記第２本体部材は、前記第１本体部材に係合可能な第１部分と、前記主電源に電気的に接続できるのに適した第２部分とを含み、前記第１および第２本体部材のいずれか一方は、複数のピン部材を含み、前記第１および第２本体部材の他方は、それぞれ前記ピン部材を受け入れる寸法の複数の開口を含み、それぞれの対応する開口とピン部材との対は、（開口の幅）／（ピン部材の幅）が１．１から５であることを特徴とする電気器具。
【請求項１５】
前記第１本体部材は前記複数のピン部材を含み、前記第２本体部材は前記複数の開口を含むことを特徴とする請求項１４に記載の電気器具。
【請求項１６】
前記第２本体部材は前記複数のピン部材を含み、前記第１本体部材は前記複数の開口を含むことを特徴とする請求項１４に記載の電気器具。
【発明の詳細な説明】
【技術分野】
【０００１】
本発明は、電気コードを有する電気製品を電源に接続できる一方、しかるべき状況においては電気コードが容易に外れることが可能な電気器具、例えば、アダプタまたは壁ソケットに関する。
【背景技術】
【０００２】
異なる要求に合わせた異なる形式の離脱可能な電気コードを有する大変多様な電気製品がある。そのような電気コードの多くは電気ケーブルで接続された２つのプラグ部材を有しており、一方のプラグ部材は電気製品に接続可能であり、他方のプラグ部材は電源、例えば電源ソケットに接続可能である。
【０００３】
そのような従来の構成の欠点は、一度、電気コードが電気製品に接続されれば、通常、電気製品からプラグ部材を取り外すことが非常に困難なことである。これは、電気製品が動作しているときに偶然に電気ケーブルが引っ張られると非常に危険である。例えば、動作中の電気フライヤまたは湯沸かしの電気ケーブルに人がつまずいたなら、電気製品装置全体が転倒してフライヤまたは湯沸かしの中身、例えば熱い油または沸騰している湯がこぼれて、つまずいた人または周囲の人に重大な傷害を引き起こす危険がある。
【０００４】
それ故、そのような欠点を克服または少なくとも軽減する方法が提案されている。特に、Ｌａｕらの米国特許第６，５６８，９４２号は、（その内容は、全面的に繰り返すように引用することでここに組み入れる）本体部材および離脱可能な電気コードを有する電気製品を開示する。本体部材は、そこから延伸した少なくとも１つのピン部材を有する接続部を含む。電気コードは、少なくとも、互いに電気的に接続しあう第１プラグ部材および第２プラグ部材を含む。第１プラグ部材は、電源、例えば電源ソケットに接続可能であり、第２プラグ部材は、本体部材の接続部と両者の間の磁気吸引力により着脱可能である。ピン部材は先細の端面を含み、第２プラグ部材は本体部材の接続部のピン部材を受け入れる大きさの少なくとも１つの開口を含み、（開口の幅）／（ピン部材の幅）は１．１から５の範囲である。
【０００５】
そのような離脱容易な電気コードの有効性にもかかわらず、不動に固定した従来の電気コードが既に加工され装備された大変多様な電気製品が現存する。
【発明の開示】
【発明が解決しようとする課題】
【０００６】
そこで、本発明の課題は、電気コードを電源に接続でき、しかしながら、しかるべき状況においては電気コードが容易に外れることが可能な電気器具を提供する。
【課題を解決するための手段】
【０００７】
本発明の第１の局面によれば、開放可能に係合できる第１および第２本体部材を含み、前記第１本体部材は、電気コードのプラグ部材と開放可能に係合できるのに適した受け部を含み、前記第２本体部材は、主電源と電気的に接続可能であり、前記第２本体部材は、前記第１本体部材に係合可能な第１部分と、前記主電源に電気的に接続できるのに適した第２部分とを含み、前記第１部分および前記第２部分は互いに対して旋回可能な電気器具が提供される。
【０００８】
前記第１部分は、前記第２本体部材の対応する複数の開口に開放可能に受け入れられる複数の導電性ピンを都合よく含んでもよい。そのような構成によれば、それらが互いに係合したときに、第１および第２本体部材の間の電気的接続が確立される。
【０００９】
好ましくは、前記第２本体部材は、前記開口への進入を拒む第１位置と、前記開口への進入を許す第２位置との間を移動可能なシャッタ部材を含んでもよく、前記シャッタ部材は、前記第１位置に偏向していてもよい。それは、第１および第２本体部材が互いに切り離されたとき、第２本体部材が電気的に主電源と接続されていても第２本体部材の開口に進入することを拒み、こうして偶発的な出来事による事故防止の助けとなることを確実にする。
【００１０】
都合よくは、前記第２本体部材は、前記第１部分と前記第２部分との間の相対旋回動作範囲を限定する少なくとも１つのストッパを含んでもよい。それは、第２本体部材の第１部分と第２部分との間の制御できない好まざる旋回または回転動作を防止できる。前記第２本体部材の前記第１部分と第２部分とは、１８０°まで、好ましくは３４０°まで、互いに対して適当に旋回可能であってもよい。前記第１部分は、都合よくは、前記第２部分に対して、前記第２部分の長手方向の軸に略垂直な軸周りに旋回可能であってもよい。
【００１１】
都合よくは、前記第２部分は、壁ソケットの開口の中に受け入れられるのに適した複数の導電性ピン部材を含んでもよく、そして、前記ピン部材は、前記第２部分に不動に固定されてもよい。
【００１２】
都合よくは、電気器具は、壁ソケットに開放可能に係合できるのに適した電気アダプタをからなってもよい。代案として、壁部に不動に固定されるのに適した壁ソケット部からなってもよく、前記第２本体部材の前記第２部分は、壁に不動に固定されるのに適していてもよい。
【００１３】
本発明の第２の局面によれば、開放可能に係合できる第１および第２本体部材を含み、前記第１本体部材は、電気コードのプラグ部材と開放可能に係合できるのに適した受け部を含み、前記第２本体部材は、主電源と電気的に接続可能であり、前記第２本体部材は、前記第１本体部材に係合可能な第１部分と、前記主電源に電気的に接続できるのに適した第２部分とを含み、前記第１および第２本体部材のいずれか一方は、複数のピン部材を含み、前記第１および第２本体部材の他方は、それぞれ前記ピン部材を受け入れる寸法の複数の開口を含み、それぞれの対応する開口とピン部材との対は、（開口の幅）／（ピン部材の幅）が１．１から５である電気器具が提供される。
【発明を実施するための最良の形態】
【００１４】
本発明の好ましい実施形態は、添付の図面を参照して、例としてのみ、ここに開示される。
【００１５】
本発明の第１の好ましい実施形態にかかる電気器具、１００で示した電気アダプタが図１Ａから２に示される。図１Ａでは、電気アダプタ１００は、本発明の一部を構成しない従来の電気ケーブル１０と脱離可能に接続されて示される。電気アダプタ１００は、互いに着脱可能な上本体部１０２と下本体部１０４とを含む。
【００１６】
上本体部１０２の上面１０６には、３つの開口１０８ａ，１０８ｂ，１０８ｃがそれぞれ対応するケーブル１０のプラグ１４の導電性ピン１２ａ，１２ｂ，１２ｃを受け入れるように形成され形作られている。従来のソケットのように、導電性の板、例えば銅板が開口１０８ａ，１０８ｂ，１０８ｃの中に設けられている。ピン１２ａ，１２ｂ，１２ｃは、このように、開口１０８ａ，１０８ｂ，１０８ｃの中に挿入され、ケーブル１０をアダプタ１００に物理的に接続し、ケーブル１０とアダプタ１００との間の電気的接続を確立する。上本体部１０２の前面１１０は、パネル１１２であり、製造者の商標が付けられてもよい。パネル１１２は、使用時にこの前面１１０が外側に向くことをユーザに知らせる目的を果たすこともできる。これは、上本体部１０２と下本体部１０４との間の不適切な接続の試みを最小化することを助けられる。
【００１７】
下本体部１０４に関しては、その本体１１５の上端に凹部１１４を有している。凹部１１４からは、開口１１８ａ，１１８ｂ，１１８ｃを有する受け部１１６が突出し、上本体部１０２の下側に対応する形に形成されて構成された導電性ピン（図３Ｂ参照）を受け入れる。ピンは、下部本体部１０４の開口１１８ａ，１１８ｂ，１１８ｃに挿入されて、上本体部１０２と下本体部１０４とを物理的に接続し、それらの間に電気的接続を確立する。受け部１１６の構造は、Ｌａｕらが開示したプラグと同様である。シャッタとばねを含む同様のシャッタ機構は、受け部１１６をも提供し、シャッタは開口１１８ａ，１１８ｂ，１１８ｃへの進入を拒む閉塞位置と、シャッタは開口１１８ａ，１１８ｂ，１１８ｃへの進入を許す開放位置と間を移動可能である。
【００１８】
受け部１１６で開口１１８ａの周囲は、以下に論じる方法で下本体部１０４と上本体部１０２との間の係合を助ける磁性板１１９である。
【００１９】
下本体部１０４の後面１２０は、壁面ソケット（不図示）に差し込むために形成されて構成された３つの導電性ピン１２４ａ，１２４ｂ，１２４ｃを不動に固定した円形板１２２であり、こうして、下本体部１０４を壁ソケットに固定することを可能にしている。ケーブル１０のピン１２ａは、上本体部１０２の開口１０８ａ、上本体１０２の下側のピンおよび下本体部１０４の開口１１８ａを介してピン１２４ａと電気的に接続される。ケーブル１０のピン１２ｂは、上本体部１０２の開口１０８ｂ、上本体１０２の下側のピンおよび下本体部１０４の開口１１８ｂを介してピン１２４ｂと電気的に接続される。ケーブル１０のピン１２ｃは、上本体部１０２の開口１０８ｃ、上本体１０２の下側のピンおよび下本体部１０４の開口１１８ｃを介してピン１２４ｃと電気的に接続される。３つのピン１２４ａ，１２４ｂ，１２４ｃと一緒にある円形板１２２は、下本体部１０４の本体１１５に対して旋回可能である。
【００２０】
図３Ａから３Ｄは、電気アダプタ１００の上本体部１０２の、それぞれ、正面図、底面図、平面図、および側面図を示す。特に、図３Ｂを参照すると、上本体部１０２の下面から延伸する３つの導電性ピン１２６ａ、１２６ｂ，１２６ｃが見られる。ピン１２６ａは開口１１８ａの中に受入可能であり、ピン１２６ｂは開口１１８ｂの中に受入可能であり、ピン１２６ｃは開口１１８ｃの中に受入可能であり、上本体部１０２と下本体部１０４とを互いに物理的および電気的に接続可能にしている。
【００２１】
ピン１２６ａ，１２６ｂ，１２６ｃの形状と構成、および、それらの開口１１８ａ，１１８ｂ，１１８ｃとの相互関係、特にそれらの相対寸法は、上本体部１０２および下本体部１０４が互いに係合し合うことができて、すぐに互いに切り離すことができ、Ｌａｕらが明確にすべてを記述して開示している。さらに詳しくは、それぞれのピンと開口の対は、すなわちピン１２６ａと対応する開口１１８ａ、ピン１２６ｂと開口１１８ｂおよびピン１２６ｃと開口１１８ｃは、（開口の幅／ピン部材の幅）が１．１から５までである。ここで述べる例では、ピン１２６ａ，１２６ｂ，１２６ｃは上本体部１０２に保持され、開口１１８ａ，１１８ｂ，１１８ｃは下本体部１０４に設けられるが、ピンが下本体１０４に保持されて対応する開口が上本体１０２に設けられた配置は、本発明の範囲と領域の中に包含されると認識される。
【００２２】
本実施例に戻ると、ピン１２６ａの両側にはそれぞれ磁性板１２８が位置している。上本体部１０２と下本体部１０４とが互いに適正に係合したとき、特に、ピン１２６ａ，１２６ｂ，１２６ｃが下本体部１０４の受け部１１６の開口１１８ａ，１１８ｂ，１１８ｃの中に受入れられたときは、磁性板１２８は、受け部１１６の磁性板１１９に隣接して磁気的に保持される。磁性板１２８および磁性板１１９を一緒に保持し、一方、しかるべきときに容易な脱離を可能にするのに適切な磁気吸引力は、Ｌａｕらがすべて記述して開示している。
【００２３】
図４および５の分解図に示すように、上本体部１０２は、互いに係合してその間にソケットモジュール１３２およびプラグモジュール１３４を保持する外側半体１３０ａ，１３０ｂを有する。ソケットモジュール１３２は、ケーブル１０のプラグ１４と接続する３つの開口１０８ａ，１０８ｂ，１０８ｃを含む。プラグモジュール１３４は、下本体部１０４と接続する３つの導電性ピン１２６ａ，１２６ｂ，１２６ｃとともに不動に固定される。導電性ワイヤ（ここでは明瞭化のための図示はしない）は、開口１０８ａ，１０８ｂ，１０８ｃをそれぞれ対応するプラグモジュール１３４の導電性ピン１２６ａ，１２６ｂ，１２６ｃに接続する。
【００２４】
図６Ａから６Ｄは、電気アダプタ１００の下本体部１０４の、それぞれ、正面図、底面図、平面図、および側面図を示す。特に、図６Ａおよび６Ｄを参照すると、受け部１１６が下本体部１０４の本体１１５のリム１３８の上に延伸しているのが見られる。そのような配置は、上本体部１０２と下本体部１０４との間の容易な脱離を増進する。板１２２と３つの導電性ピン１２４ａ，１２４ｂ，１２４ｃとは、下本体部１０４の本体１１５に対して軸Ｐ−Ｐ周りに旋回可能であり、軸Ｐ−Ｐは、下本体部１０４の本体１１５の長手方向の軸Ｑ−Ｑに垂直である。
【００２５】
前述の配置により、使用時に、上本体部１０２および下本体部１０４の本体１１５は、図７に示す位置から円形板１２２に対して旋回させられることができ、例えば図８に示す位置をとる。図７において、アダプタ１００は直立した位置にあり、図８において、アダプタ１００は垂直な軸Ｔ−Ｔに対して傾斜している。このため、仮にケーブル１０が、偶発的につまずいて引っ張られても、（板１２２を除いた）アダプタ１０２は、図７の双方向矢印Ｒ−Ｒで示す方向に、時計回りまたは反時計回りに旋回させられ得る。仮に引っ張り力が十分に強いと、上本体部１０２は、下本体部１０４から容易に脱離し、こうしてケーブル１０が接続されている電気製品全体を偶発的に引っ張り、転倒させる危険を最小化する。アダプタ１００は、円形板１２２に対して時計回りおよび反時計回りにそれぞれ垂直軸Ｔ−Ｔに対して角度θだけ、最大９０°つまり、２つの両極端な位置の間で合計１８０°旋回されてもよい。さらなる柔軟性を可能にするため、アダプタ１００は、円形板１２２に対して時計回りおよび反時計回りにそれぞれ垂直軸Ｔ−Ｔに対して角度θだけ、最大１７０°つまり、２つの両極端な位置の間で合計３４０°旋回されてもよい。
【００２６】
図９および１０は、それぞれ、壁ソケット１８に取り付けた電気アダプタ１００の下本体部１０４の後方分解斜視図および前方分解斜視図を示す。主電源がソケット１８に接続されるように、壁ソケット１８は、壁に不動に固定されてもよい。図１０に示すように、壁ソケット１８は、ソケット１８の動作を制御するスイッチ２０を含む。壁ソケット１８には発光体２２も設けられ、壁ソケット１８が動作中であるかどうかを示す。
【００２７】
図９および１０に示すように、下本体部１０４は、互いに係合し合い、その間に受け部１１６を保持する２つの外側半体１４０ａ，１４０ｂを有する。上述したように、受け部１１６の上端は、対応して成形されて構成された上本体部１０２の下側から延伸する３つの導電性ピン１２６ａ，１２６ｂ，１２６ｃを受け入れる３つの開口１１８ａ，１１８ｂ，１１８ｃがある。電線（不図示）は、導電性ピン１２４ａ，１２４ｂおよび１２４ｃを受け入れた開口１１８ａ，１１８ｂおよび１１８ｃの中の導電部（不図示）に接続して設けられる。
【００２８】
ピン１２４ａ，１２４ｂおよび１２４ｃが固定された円形板１２２は、中間板１４２を介して突出部１４４に係合される。図９にさらに明確に示されるように、突出部１４４の内表面１４６は、波形になっている。指状片１４８は、ばね１５０を介して中間板１４２の凹部１５２に係合される。円形板１２２および中間板１４２が互いに組み立てられたとき、指状片１４８は、凹部１５２上を滑動し、円形板１２２の開口１５４を通じて往復する（図１０参照）。円形板と、付随するピン１２４ａ，１２４ｂおよび１２４ｃと、中間板１４２とが下本体１０４の本体１１５に対して旋回するとき、指状片１４８の外側端部は突出部１４４の波状の内表面１４６に沿って進行する。中間板１４２に運ばれた指状片１５６は、下本体部１０４の外側半体１４０ｂの穴１５８に受け入れられる。指状片１５６は、上述したように、下本体部１０４の外側半体１４０ｂに保持されるストッパ（不図示）と共働して、形板１２２と下本体部１０４との間に旋回運動の範囲を制限する。
【００２９】
１つの好ましい実施形態にかかる電気器具は、一般に２００で表した壁ソケットであり、図１１Ａから１１Ｄに示される。示されるように、壁ソケット２００は、図１１Ｄに示すように壁２４の中に固定して設置されるであろう基部２０２と、下本体部２０４とを含む。主電源は、従来の壁ソケット場合と同様に、基部２０２に接続される。簡略化のため、壁ソケット２００は、ここでは基部２００および下本体部２０４を含むのみであるように示されるが、例えば、前述の好ましい実施形態において論じた上本体部１０２のような、下本体部２０４に補完される上本体部も含まれると理解されねばならない。例えば銅板のような導電板が、下本体部２０４の開口２０６ａ，２０６ｂ，２０６ｃの中で、主電源の電線に接続される。
【００３０】
壁ソケット２００において、下本体部２０４は、基部２０２に対して旋回可能である。こうして、壁ソケット２００は、壁に固定され、補完的な上本体部が下本体部２０４と係合され、電気ケーブルを有する電気プラグが上本体部に差し込まれ、仮に電気ケーブルにつまずいたら、下本体部２０４は基部２０２に対して旋回する。仮に引っ張り力が十分に大きければ、上本体部は下本体部２０４から離脱し、こうして、電気ケーブルが係合する電気製品を転倒させる危険を最小化する。
【００３１】
以上は、本発明を実施する例としてのみ示したもので、本発明の精神から逸脱することなく多様な変形や変更がなされてもよいものと理解されねばならない。
【００３２】
また、明確化のため、別々の実施形態の文中で説明した、本発明の特定の特徴は単一の実施形態において組み合わせて提供されてもよいものと理解されねばならない。逆に、簡略化のため１つの実施形態の文中で説明した、本発明の多様な特徴は、別々にまたはいかなる副次的組み合わせに提供されてもよい。
【図面の簡単な説明】
【００３３】
【図１Ａ】電気コードを取り付けた、本発明の第１実施形態にかかる電気アダプタの前方斜視図を示す。
【図１Ｂ】電気コードを取り外した、図１Ａの電気アダプタの後方斜視図を示す。
【図２】電気コードを取り付け、上本体部と下本体部とを互いから離脱した図１Ａの電気アダプタのさらなる前方斜視図を示す。
【図３Ａ】図１Ａの電気アダプタの上本体部の正面図を示す。
【図３Ｂ】図３Ａの電気アダプタの上本体部の底面図を示す。
【図３Ｃ】図３Ａの電気アダプタの上本体部の平面図を示す。
【図３Ｄ】図３Ａの電気アダプタの上本体部の側面図を示す。
【図４】図３Ａの電気アダプタの前方分解斜視図を示す。
【図５】図３Ａの電気アダプタの後方分解斜視図を示す。
【図６Ａ】図１Ａの電気アダプタの下本体部の正面図を示す。
【図６Ｂ】図１Ａの電気アダプタの下本体部の底面図を示す。
【図６Ｃ】図１Ａの電気アダプタの下本体部の平面図を示す。
【図６Ｄ】図１Ａの電気アダプタの下本体部の側面図を示す。
【図７】図１Ａの電気アダプタの第１配置における背面図を示す。
【図８】図７の電気アダプタの他の配置を示す。
【図９】壁面コンセントとともに、図１Ａの電気アダプタの下本体部の後方分解斜視図を示す。
【図１０】壁面コンセントとともに、図９の電気アダプタの下本体部の前方分解斜視図を示す。
【図１１Ａ】本発明の第２実施形態にかかる壁面ソケットの正面図を示す。
【図１１Ｂ】図１１Ａの壁面ソケットの底面図を示す。
【図１１Ｃ】図１１Ａの壁面ソケットの平面図を示す。
【図１１Ｄ】図１１Ａの壁面ソケットの側面図を示す。
【符号の説明】
【００３４】
１４  プラグ
１００  電気アダプタ（電気器具）
１０２  上本体部（第１本体部材）
１０４  下本体部（第２本体部材）
１０８ａ，１０８ｂ，１０８ｃ  開口（受け部）
１１５  本体（第１部分）
１１８ａ，１１８ｂ，１１８ｃ  開口
１２２  円形板（第２部分）
１２６ａ，１２６ｂ，１２６ｃ  導電性ピン
【図１Ａ】
2005235729.tif 000003
【図１Ｂ】
2005235729.tif 000004
【図２】
2005235729.tif 000005
【図３Ａ】
2005235729.tif 000006
【図３Ｂ】
2005235729.tif 000007
【図３Ｃ】
2005235729.tif 000008
【図３Ｄ】
2005235729.tif 000009
【図４】
2005235729.tif 000010
【図５】
2005235729.tif 000011
【図６Ａ】
2005235729.tif 000012
【図６Ｂ】
2005235729.tif 000013
【図６Ｃ】
2005235729.tif 000014
【図６Ｄ】
2005235729.tif 000015
【図７】
2005235729.tif 000016
【図８】
2005235729.tif 000017
【図９】
2005235729.tif 000018
【図１０】
2005235729.tif 000019
【図１１Ａ】
2005235729.tif 000020
【図１１Ｂ】
2005235729.tif 000021
【図１１Ｃ】
2005235729.tif 000022
【図１１Ｄ】
2005235729.tif 000023
【外国語明細書】
2005235729.tif 000024
2005235729.tif 000025
2005235729.tif 000026
2005235729.tif 000027
2005235729.tif 000028
2005235729.tif 000029
2005235729.tif 000030
2005235729.tif 000031
2005235729.tif 000032
2005235729.tif 000033
2005235729.tif 000034
2005235729.tif 000035
2005235729.tif 000036
2005235729.tif 000037
2005235729.tif 000038
2005235729.tif 000039
2005235729.tif 000040
2005235729.tif 000041
2005235729.tif 000042
2005235729.tif 000043
2005235729.tif 000044
2005235729.tif 000045
2005235729.tif 000046
2005235729.tif 000047